(57)【要約】【課題】軟質性の給排容器を使用し、流量調整バルブを使用せずに低コスト化を図りつつ、透析の除水量を厳格に制御可能な透析液供給装置を提供する。【解決手段】透析供給装置１１は、内部を給液室Ａと排液室Ｂに隔てる変位可能な隔壁４０を有する軟質性の給排容器３０と、給排容器３０の給液室Ａに透析液を送る給液ポンプ５１と、給液室Ａから排液室Ｂに透析液を送る循環ポンプ８０と、除水ポンプ９０と、給液ポンプ５１の第１のリリーフ弁５５と、循環ポンプ８０の第２のリリーフ弁８１と、循環ポンプ８０の駆動電圧を制御することによって給液室Ａから排液室Ｂに流れる透析液の流量を調整し、排液室Ｂが透析液で満杯になるときに、排液室Ｂに付加される循環ポンプ８０の出力圧がリリーフ圧になるように循環ポンプ８０の駆動電圧を一時的に上昇させる制御装置１１０と、を有する。【選択図】図１
2014110856.tif 000002
【特許請求の範囲】
【請求項１】
透析器に透析液を供給し、当該透析器から透析液を排出する透析液供給装置であって、
内部を給液室と排液室に隔てる変位可能な隔壁を有する軟質性の給排容器と、
前記給排容器の給液室に透析液を送る給液ポンプと、
前記給液室の透析液を前記透析器に送り、当該透析器から排液される透析液を前記排液室に送る循環ポンプと、
前記透析器から排出された透析液の一部を前記排液室を介さずに排出する除水ポンプと、
前記給液室に付加される前記給液ポンプの出力上限圧を所定のリリーフ圧に制限する第１のリリーフ弁と、
前記排液室に付加される前記循環ポンプの出力上限圧を前記第１のリリーフ弁と同じ所定のリリーフ圧に制限する第２のリリーフ弁と、
前記循環ポンプの駆動電圧を制御することによって前記給液室から前記排液室に流れる透析液の流量を調整し、前記排液室が透析液で満杯になるときに、前記排液室に付加される前記循環ポンプの出力圧が前記リリーフ圧になるように前記循環ポンプの駆動電圧を一時的に上昇させる電圧制御装置と、を有する、透析液供給装置。
【請求項２】
前記給液室から前記排液室に流れる透析液の流量を測定するための測定部をさらに有し、
前記電圧制御装置は、測定された前記透析液の流量に応じて、前記循環ポンプの駆動電圧を設定する、請求項１に記載の透析液供給装置。
【請求項３】
前記給液室から前記排液室への透析液の供給開始から供給終了までの供給時間を測定する測定部をさらに有し、
前記電圧制御装置は、測定された前記供給時間に応じて、前記循環ポンプの駆動電圧を一時的に上昇させるタイミングを設定する、請求項１又は２に記載の透析液供給装置。
【請求項４】
内部を給液室と排液室に隔てる変位可能な隔壁を有する軟質性の給排容器と、
前記給排容器の給液室に透析液を送る給液ポンプと、
前記給液室の透析液を前記透析器に送り、当該透析器から排液される透析液を前記排液室に送る循環ポンプと、
前記透析器から排出された透析液の一部を前記排液室を介さずに排出する除水ポンプと、
前記給液室に付加される前記給液ポンプの出力上限圧を所定のリリーフ圧に制限する第１のリリーフ弁と、
前記排液室に付加される前記循環ポンプの出力上限圧を前記第１のリリーフ弁と同じ所定のリリーフ圧に制限する第２のリリーフ弁と、を有する透析液供給装置の作動方法であって、
前記循環ポンプの駆動電圧を制御することによって前記給液室から前記排液室に流れる透析液の流量を調整し、前記排液室が透析液で満杯になるときに、前記排液室に付加される前記循環ポンプの出力圧が前記リリーフ圧になるように前記循環ポンプの駆動電圧を一時的に上昇させる電圧制御装置が作動する、透析液供給装置の作動方法。
【請求項５】
前記透析液供給装置は、前記給液室から前記排液室に流れる透析液の流量を測定するための測定部をさらに有し、
前記電圧制御装置は、測定された前記透析液の流量に応じて、前記循環ポンプの駆動電圧を設定する、請求項４に記載の透析液供給装置の作動方法。
【請求項６】
前記透析液供給装置は、前記給液室から前記排液室への透析液の供給開始から供給終了までの供給時間を測定する測定部をさらに有し、
前記電圧制御装置は、測定された前記供給時間に応じて、前記循環ポンプの駆動電圧を一時的に上昇させるタイミングを設定する、請求項４又は５に記載の透析液供給装置の作動方法。
【請求項７】
内部を給液室と排液室に隔てる変位可能な隔壁を有する軟質性の給排容器と、
前記給排容器の給液室に透析液を送る給液ポンプと、
前記給液室の透析液を前記透析器に送り、当該透析器から排液される透析液を前記排液室に送る循環ポンプと、
前記透析器から排出された透析液の一部を前記排液室を介さずに排出する除水ポンプと、
前記給液室に付加される前記給液ポンプの出力上限圧を所定のリリーフ圧に制限する第１のリリーフ弁と、
前記排液室に付加される前記循環ポンプの出力上限圧を前記第１のリリーフ弁と同じリリーフ圧に制限する第２のリリーフ弁と、を有する透析液供給装置において、
前記循環ポンプの駆動電圧を制御することによって前記給液室から前記排液室に流れる透析液の流量を調整し、前記排液室が透析液で満杯になるときに、前記排液室に付加される前記循環ポンプの出力圧が前記リリーフ圧になるように前記循環ポンプの駆動電圧を一時的に上昇させるようにコンピュータに実行させるためのプログラム。
【発明の詳細な説明】
【技術分野】
【０００１】
本発明は、透析器に透析液を供給し、当該透析器から透析液を排出する透析液供給装置、透析液供給装置の作動方法、及びプログラムに関する。
【背景技術】
【０００２】
血液透析装置は、透析器に対し透析液を供給し排出する透析液供給装置を有している。この透析液供給装置には、透析器に供給するための透析液を収容する給液室と、透析器から排出された透析液を収容する排液室と、それらの給液室と排液室を隔てて変位自在な隔壁とを備えた給排容器が設けられている（特許文献１参照）。この種の給排容器によれば、給液室から透析器に送り出された分の透析液が排液室に入り込む。
【０００３】
また、透析液供給装置は、給液室に透析液を送る給液ポンプと、給液室の透析液を透析器に送り、当該透析器の透析液を排液室に送る循環ポンプを備えている。透析器に対する透析液の流量は、流量調整バルブにより調整されている。
【０００４】
さらに、透析液供給装置は、透析器から排出された透析液の一部を吸引して排液室を介さずに排出するための除水ポンプを有している。この除水ポンプにより、透析器に供給された透析液の液量より多い量の液体を透析器から排出することによって、透析器において患者の血液から不要水分を抜いて除水することができる。上記給排容器では、給液室に収容される透析液の量と、排液室に収容される透析液の量が等しくなるので、除水ポンプにより液体を排出した分だけ、患者の血液から除水が行われる。よって、除水ポンプの流量を厳格に制御することによって、患者の透析による除水量を厳格に制御できる。
【先行技術文献】
【特許文献】
【０００５】
【特許文献１】特公昭５６−８２号公報
【発明の概要】
【発明が解決しようとする課題】
【０００６】
ところで、血液透析装置の低コスト化のため、上述の給排容器には、安価な樹脂などの素材を用いるのが好ましい。しかし、この場合、給排容器が軟質で内圧に応じて多少膨縮するため、給液室と排液室の容積も内圧によって変動する。このため、給液室に収容される透析液の量と排液室に収容される透析液の量が一致しないことが考えられる。このため、給排容器に軟質性の素材を用いた場合には、例えば図６に示すように給液ポンプ２００と循環ポンプ２０１のそれぞれに同じリリーフ圧を有するリリーフ弁２０２、２０３を設けるとよい。こうすることによって、給液ポンプ２００により給排容器２０４の給液室Ａに透析液を供給する際の圧力と、循環ポンプ２０１により排液室Ｂに透析液を供給する際の圧力を、同じリリーフ圧に揃えることができるので、このときの給液室Ａと排液室Ｂの容積が同じになり、給液室Ａに収容される透析液の量と排液室Ａに収容される透析液の量を等しくできる。これにより、除水ポンプ２０５による患者の除水量を厳格に制御できる。
【０００７】
さらに血液透析装置の低コスト化を図るため、流量調整バルブ２０６をなくし、透析器２０７に対する透析液の給排流量の調整を、循環ポンプ２０１の駆動電圧を制御することによって行うことを考えている。
【０００８】
しかしながら、この場合、透析液の設定流量により循環ポンプの駆動電圧が変わり、循環ポンプの出力圧も変動するので、循環ポンプの出力圧がリリーフ弁２０３の規定するリリーフ圧に達しないことがある。そうなると、給液室に透析液が供給されたときと同じ圧力で、排液室に透析液が供給されなくなり、排液室の容積が変わるので、給液室に収容される透析液の量と排液室に収容される透析液の量が一致しなくなる。この結果、透析液の給排量のバランスがくずれ、患者の透析の除水量を厳格に制御できない恐れがある。
【０００９】
本発明はかかる点に鑑みてなされたものであり、軟質性の給排容器を使用し、流量調整バルブを使用せずに低コスト化を図りつつ、透析の除水量を厳格に制御可能な透析液供給装置とその作動方法、及びプログラムを提供することをその目的とする。
【課題を解決するための手段】
【００１０】
上記目的を達成するための本発明は、透析器に透析液を供給し、当該透析器から透析液を排出する透析液供給装置であって、内部を給液室と排液室に隔てる変位可能な隔壁を有する軟質性の給排容器と、前記給排容器の給液室に透析液を送る給液ポンプと、前記給液室の透析液を前記透析器に送り、当該透析器から排液される透析液を前記排液室に送る循環ポンプと、前記透析器から排出された透析液の一部を前記排液室を介さずに排出する除水ポンプと、前記給液室に付加される前記給液ポンプの出力上限圧を所定のリリーフ圧に制限する第１のリリーフ弁と、前記排液室に付加される前記循環ポンプの出力上限圧を前記第１のリリーフ弁と同じ所定のリリーフ圧に制限する第２のリリーフ弁と、前記循環ポンプの駆動電圧を制御することによって前記給液室から前記排液室に流れる透析液の流量を調整し、前記排液室が透析液で満杯になるときに、前記排液室に付加される前記循環ポンプの出力圧が前記リリーフ圧になるように前記循環ポンプの駆動電圧を一時的に上昇させる電圧制御装置と、を有する、透析液供給装置である。なお、隔壁の「変位」には、ピストンのように隔壁全体が移動するもののみならず、ダイアフラムのように隔壁自体が変形して変位するものも含まれる。
【００１１】
本発明によれば、循環ポンプの駆動電圧を制御して透析液の流量を調整できるので、従来のように流量調整バルブを使用せずに透析液の流量を調整でき、コストを低減できる。また、排液室が透析液で満杯になるときに、排液室に付加される循環ポンプの出力圧が、給液室が満杯になった時と同じリリーフ圧になるように循環ポンプの駆動電圧を一時的に上昇させるので、軟質性の給排容器を用いても、給液室に充填される透析液の量と排液室に充填される透析液の量を厳格に一致させることができる。これにより、低コストの軟質性の給排容器を用いた場合であっても、透析器に対する透析液の給排量を厳格に制御でき、これによって患者の透析の除水量を厳格に制御できる。
【００１２】
上記透析液供給装置は、前記給液室から前記排液室に流れる透析液の流量を測定するための測定部をさらに有し、前記電圧制御装置は、測定された前記透析液の流量に応じて、前記循環ポンプの駆動電圧を設定するようにしてもよい。
【００１３】
また、上記透析液供給装置は、前記給液室から前記排液室への透析液の供給開始から供給終了までの供給時間を測定する測定部をさらに有し、前記電圧制御装置は、測定された前記供給時間に応じて、前記循環ポンプの駆動電圧を一時的に上昇させるタイミングを設定するようにしてもよい。
【００１４】
別の観点による本発明は、内部を給液室と排液室に隔てる変位可能な隔壁を有する軟質性の給排容器と、前記給排容器の給液室に透析液を送る給液ポンプと、前記給液室の透析液を前記透析器に送り、当該透析器から排液される透析液を前記排液室に送る循環ポンプと、前記透析器から排出された透析液の一部を前記排液室を介さずに排出する除水ポンプと、前記給液室に付加される前記給液ポンプの出力上限圧を所定のリリーフ圧に制限する第１のリリーフ弁と、前記排液室に付加される前記循環ポンプの出力上限圧を前記第１のリリーフ弁と同じ所定のリリーフ圧に制限する第２のリリーフ弁と、を有する透析液供給装置の作動方法であって、前記循環ポンプの駆動電圧を制御することによって前記給液室から前記排液室に流れる透析液の流量を調整し、前記排液室が透析液で満杯になるときに、前記排液室に付加される前記循環ポンプの出力圧が前記リリーフ圧になるように前記循環ポンプの駆動電圧を一時的に上昇させる電圧制御装置が作動する、透析液供給装置の作動方法である。
【００１５】
上記透析液供給装置の作動方法において、前記透析液供給装置が、前記給液室から前記排液室に流れる透析液の流量を測定するための測定部をさらに有し、前記電圧制御装置は、測定された前記透析液の流量に応じて、前記循環ポンプの駆動電圧を設定するようにしてもよい。
【００１６】
上記透析液供給装置の作動方法において、前記透析液供給装置は、前記給液室から前記排液室への透析液の供給開始から供給終了までの供給時間を測定する測定部をさらに有し、前記電圧制御装置は、測定された前記供給時間に応じて、前記循環ポンプの駆動電圧を一時的に上昇させるタイミングを設定するようにしてもよい。
【００１７】
別の観点による本発明は、内部を給液室と排液室に隔てる変位可能な隔壁を有する軟質性の給排容器と、前記給排容器の給液室に透析液を送る給液ポンプと、前記給液室の透析液を前記透析器に送り、当該透析器から排液される透析液を前記排液室に送る循環ポンプと、前記透析器から排出された透析液の一部を前記排液室を介さずに排出する除水ポンプと、前記給液室に付加される前記給液ポンプの出力上限圧を所定のリリーフ圧に制限する第１のリリーフ弁と、前記排液室に付加される前記循環ポンプの出力上限圧を前記第１のリリーフ弁と同じリリーフ圧に制限する第２のリリーフ弁と、を有する透析液供給装置において、前記循環ポンプの駆動電圧を制御することによって前記給液室から前記排液室に流れる透析液の流量を調整し、前記排液室が透析液で満杯になるときに、前記排液室に付加される前記循環ポンプの出力圧が前記リリーフ圧になるように前記循環ポンプの駆動電圧を一時的に上昇させるようにコンピュータに実行させるためのプログラムである。
【発明の効果】
【００１８】
本発明によれば、軟質性の給排容器を使用し、流量調整バルブを使用せずに低コスト化を図りつつ、透析の除水量を厳格に制御できる。
【図面の簡単な説明】
【００１９】
【図１】血液透析装置の構成の概略を示す模式図である。
【図２】給液室が満杯になったときの血液透析装置を示す模式図である。
【図３】循環ポンプの駆動電圧の制御例を示すグラフである。
【図４】排液室が満杯になったときの血液透析装置の構成の概略を示す模式図である。
【図５】供給時間を測定して電圧立ち上げ時間を調整する場合の循環ポンプの駆動電圧の制御例を示すグラフである。
【図６】リリーフ弁を設けた場合の血液透析装置の構成を示す模式図である。
【発明を実施するための形態】
【００２０】
以下、図面を参照して、本発明の好ましい実施の形態について説明する。図１は、本実施の形態に係る透析液供給装置を有する血液透析装置１の構成の概略を示す模式図である。
【００２１】
血液透析装置１は、例えば血液回路１０と、透析液供給装置１１を有している。血液回路１０は、透析器２０と、血液ポンプ２１を有している。
【００２２】
透析器２０は、例えば中空糸膜を内蔵した中空糸モジュールであり、膜の一次側に患者の血液を通過させつつ、膜の二次側に透析液を通過させ、一次側の血液の不要な水分を膜を通じて二次側に透過させて血液を透析することができる。血液ポンプ２１は、患者の血液を透析器２０に送り、透析器２０から患者に戻すことができる。
【００２３】
透析液供給装置１１は、例えば給液室Ａと排液室Ｂを有する２つの給排容器３０、３１と、給排容器３０、３１の給液室Ａに透析液を供給する給液回路３２と、給排容器３０、３１の給液室Ａの透析液を透析器２０に供給し、透析器２０から排出された透析液を給排容器３０、３１の排液室Ｂに排出する循環回路３３と、給排容器３０、３１の排液室Ｂの透析液を外部に排液する排液回路３４と、血液から不要水分を除去するため、透析器２０から排出された透析液の一部を排液室Ｂを通さずに排出する除水回路３５を有している。
【００２４】
給排容器３０、３１は、軟質性の樹脂などにより構成されている。よって、給排容器３０、３１は、内圧に応じて容積がわずかに変動する。給排容器３０、３１は、給液室Ａと排液室Ｂを隔て変位自在な隔壁４０を有している。隔壁４０は、例えばゴム製のダイアフラムなどにより構成されている。給液室Ａと排液室Ｂは、内圧により隔壁４０が変位して容積が変動し、一方の容積が大きくなるとその分他方の容積が小さくなる。隔壁４０は、給排容器３０、３１の内部の中央に設けられ、隔壁４０が最大限給液室Ａ側に移動した際の排液室Ｂの最大容積と、隔壁４０が最大限排液室Ｂ側に移動した際の給液室Ａの最大容積とが同じになる。
【００２５】
給液回路３２は、水などの希釈液を温度調整するヒータ５０と、ヒータ５０で温調された希釈液を給液室Ａ側に送る給液ポンプ５１と、透析液の原液を貯留する２つの原液容器５２、５３と、各原液容器５２、５３の原液を所定の割合で混合して希釈液に合流させる原液ポンプ５４を有している。給液ポンプ５１には、給液室Ａに付加される給液ポンプ５１の出力上限圧を所定のリリーフ圧に制限する第１のリリーフ弁５５が設けられている。第１のリリーフ弁５５のリリーフ圧Ｐは、例えば１００ｋＰａとする。
【００２６】
循環回路３３は、給液室Ａから透析器２０に接続された第１回路６０と、透析器２０から排液室Ｂに接続された第２回路６１を有している。第１回路６０は、流れの有無を検出するフローセンサ７０と、透析液からエンドトキシンなどの所定の不要成分を除去するフィルタ７１を有している。第２回路６１は、給液室Ａの透析液を透析器２０を介して排液室Ｂに送る循環ポンプ８０と、排液室Ｂに付加される循環ポンプ８０の出力上限圧を所定のリリーフ圧に制限する第２のリリーフ弁８１を有している。第２のリリーフ弁８１のリリーフ圧Ｐは、第１のリリーフ弁５５と同じ例えば１００ｋＰａとする。
【００２７】
除水回路３５は、例えば第２回路６１の循環ポンプ８０と排液室Ｂとの間から分岐し、排液室Ｂを迂回して排液回路３４に接続されている。除水回路３５には、循環回路３３から所定量の透析液を排出する除水ポンプ９０が設けられている。この除水回路３５に排出される透析液の量が、透析器２０を通過する患者の血液から抜かれる除水量となる。
【００２８】
各給排容器３０、３１の前後の回路には、それぞれ開閉弁１００、１０１、１０２、１０３、１０４、１０５、１０６、１０７が設けられている。
【００２９】
血液透析装置１は、制御装置１１０によって制御されている。制御装置１１０は、コンピュータであり、メモリに記憶されたプログラムを実行することによって、血液透析装置１の動作が実行される。制御装置１１０は、血液ポンプ２１、ヒータ５０、給液ポンプ５１、原液ポンプ５４、循環ポンプ８０、除水ポンプ９０、開閉弁１００〜１０７等の動作を制御している。制御装置１１０は、循環ポンプ８０の電圧制御装置としても機能し、透析液の設定流量に応じて循環ポンプ８０の駆動電圧を調整する。また、制御装置１１０は、排液室Ｂが透析液で満杯になるときに、排液室Ｂに付加される循環ポンプ８０の出力圧がリリーフ圧Ｐになるように循環ポンプ８０の駆動電圧を一時的に上昇させる。
【００３０】
次に、以上のように構成された血液透析装置１における透析液供給装置１１の作動方法について説明する。
【００３１】
血液透析処理時の血液回路１０側では、血液ポンプ２１が作動し、患者の血液が血液回路１０を通じて透析器２０に供給される。血液は、分離器２０の膜の一次側を通り、その後血液回路１０を通って患者に戻される。
【００３２】
一方、透析液供給装置１１側では、透析器２０に対し透析液を連続的に給排する。先ず、給液ポンプ５１が作動し、ヒータ５０で体温程度に温められた希釈液と、原液ポンプ５４により原液タンク５２、５３から送出された原液とが混合した透析液が、図２に示すように給排容器３０の給液室Ａに供給される。このとき、給液ポンプ５１の駆動電圧は、高い状態に維持され、給液ポンプ５１の出力圧が第１のリリーフ弁５５のリリーフ圧Ｐになっている。よって、給液室Ａには、透析液がリリーフ圧Ｐで供給される。隔壁４０が完全に排液室Ｂ側に移動し、給液室Ａに透析液が満杯になったときにこの圧力Pが維持される。したがって、内圧にリリーフ圧Ｐがかかった状態、つまりリリーフ圧Ｐに応じた容積（例えば１３０３０ｍｌ）を持った状態の給液室Ａに透析液が充填される。なお、このとき、排液室Ｂ側に収容されていた透析液は、隔壁４０に押されて排液回路３４に排出される。また、新鮮な透析液が給排容器３０の給液室Ａに供給されている間、循環ポンプ８０により給液ポンプ５１より遅い速度で前回作成された給排容器３１の給液室Ａの透析液が透析器２０に供給される。
【００３３】
給排容器３１の排液室Ｂに透析液が満杯になると、給排容器３０と給排容器３１の切り替えが行われ、循環ポンプ８０により給排容器３０の給液室Ａの透析液が透析器２０に供給され、透析器２０を通過した透析液が給排容器３０の排液室Ｂに排出される。このとき、隔壁４０が排液室Ｂ側から給液室Ａ側に徐々に移動していく。また、このとき、例えば医師により設定された透析液の流量（例えば５００ｍｌ／min）に応じて、図３に示すように循環ポンプ８０の駆動電圧Ｖが電圧Ｖａに設定されている。透析液の設定流量が多い場合には、電圧Ｖａが大きくなり、透析液の設定流量が少ない場合には、電圧Ｖａは小さくなる。このときの循環ポンプ８０の出力圧は、通常第２のリリーフ弁８１のリリーフ圧Ｐよりも低くなっている。透析器２０では、膜の一次側の血液から膜の二次側に不要な水分が抜かれ、血液が浄化されている。
【００３４】
また、給液室Ａの透析液が透析器２０に供給されている間、除水ポンプ９０により透析液の一部が排液室Ｂを介さずに排液回路３４に排出される。これにより、透析器２０に供給される透析液よりも透析器２０から排出される透析液の量が多くなり、その増加分の水分が患者の血液から除水される。
【００３５】
図４に示すように給液室Ａの透析液がすべて排出されると、透析器２０から流入する透析液により排液室Ｂが満杯になる。この排液室Ｂが満杯になる直前に、図３に示したように循環ポンプ８０の駆動電圧Ｖが電圧Ｖｂに上げられ、排液室Ｂに付加される循環ポンプ８０の出力圧が一時的にリリーフ圧Ｐになる。このとき、排液室Ｂの満杯時Ｓ２より所定時間前、例えば０．５ｓ前から循環ポンプ８０の出力圧がリリーフ圧Ｐになるように駆動電圧Ｖが電圧Ｖｂに上げられ、排液室Ｂの満杯時Ｓ２より所定時間後、例えば０．２ｓ後までその駆動電圧Ｖｂが維持される。その後、給排容器３０と給排容器３１の切り替えが行われ、駆動電圧Ｖが電圧Ｖｂから電圧Ｖａに下げられる。駆動電圧Ｖが電圧ＶａからＶｂに上げられる際、或いは駆動電圧Ｖが電圧Ｖｂから電圧Ｖａに下げられる際には、電圧が所定の時間をかけて変動させられる。
【００３６】
図４のように排液室Ｂが満杯になるときに、排液室Ｂには、給液室Ａが満杯になるときと同じリリーフ圧Ｐがかけられているので、そのリリーフ圧Ｐに応じた容積の排液室Ｂに透析液が充填される。よって、給液室Ａに満杯に入れられた透析液の量と排液室Ｂに満杯に入れられた透析液の量が一致する。
【００３７】
給排容器３０の排液室Ｂが満杯になった後、給排容器３０と給排容器３１の切り替えが行われ、給排容器３０の給液室Ａに再び透析液が供給され始め、これに伴い排液室Ｂの透析液は、排液回路３４から外部に排出される。このように、給排容器３０において、給液室Ａへの透析液の供給及び排液室Ｂからの透析液の排液と、給液室Ａから透析器２０を介した排液室Ｂへの透析液の循環とが、交互に行われる。一方、もう一つの給排容器３１においても、給排容器３０と同様に給液室Ａへの透析液の供給及び排液室Ｂからの透析液の排液と、給液室Ａから透析器２０を介した排液室Ｂへの透析液の循環とが、交互に行われる。給排容器３０において給液室Ａへの透析液の供給及び排液室Ｂからの透析液の排液が行われている際に、給排容器３１において給液室Ａから透析器２０を介した排液室Ｂへの透析液の循環が行われ、給排容器３０において給液室Ａから透析器２０を介した排液室Ｂへの透析液の循環が行われている際に、給排容器３１において給液室Ａへの透析液の供給及び排液室Ｂからの透析液の排液が行われる。こうして、透析器２０には、連続的に透析液が給排される。なお、この給排容器３０と給排容器３１の切り替えは、開閉弁１００〜１０７の開閉により実行される。
【００３８】
以上の実施の形態によれば、循環ポンプ８０の駆動電圧を制御することによって透析液の流量を調整できるので、従来のように流量調整バルブを使用せずに透析液の流量を調整でき、コストを低減できる。また、排液室Ｂが透析液で満杯になるときに、排液室Ｂに付加される循環ポンプ８０の出力圧が、給液室Ａが満杯になった時と同じリリーフ圧Ｐになるように循環ポンプ８０の駆動電圧を一時的に上昇させるので、軟質性の給排容器３０、３１を用いても、給液室Ａに充填される透析液の量と排液室Ｂに充填された透析液の量を一致させることができる。これにより、低コストの軟質性の給排容器３０、３１を用いた場合であっても、透析器２０に対する透析液の給排バランスを厳格に制御でき、これによって患者の透析の除水量を厳格に制御できる。
【００３９】
上記実施の形態において、制御装置１１０は、測定部としてのフローセンサ７０を用いて測定された透析液の流量に応じて、給液室Ａから排液室Ｂへの透析液の次の供給時における、循環ポンプ８０の駆動電圧Ｖａを設定するようにしてもよい。かかる場合、先ずフローセンサ７０により、例えば給排容器３０の給液室Ａから循環回路３３への透析液の流れ始めと、流れ終わりを検出し、制御装置１１０により、その透析液が流れている間の時間を計測して、トータルの透析液量（給液室Ａの容積）から透析液の流量を算出する。そして、この算出された透析液の流量が目標の流量よりも少なかった場合には、次の透析液の供給時の循環ポンプ８０の駆動電圧Ｖａの設定値を上げる。また、算出された透析液の流量が目標の流量よりも多かった場合には、循環ポンプ８０の駆動電圧Ｖａの設定値を下げる。こうすることによって、例えばフィルター７１などに目詰まりが生じて循環回路３３の圧力損失が増加したような場合に、透析液の目標流量を確保できる。また、目詰まりが解消したときなど何らかの原因で透析液の流量が多くなった場合には、透析液の流量を目標の流量に戻すことができる。その際、急激な透析液流量の変動を抑えるため、一回の循環ポンプ８０の駆動電圧を制限することで規定の透析液流量相当分、例えば10ml/min相当分しか変化させないことも可能である。なお、この例における透析液の流量の測定は、必ずしもフローセンサ７０を用いて行う必要はなく他の手段を用いて行ってもよい。
【００４０】
また、上記実施の形態において、制御装置１１０が、給液室Ａから排液室Ｂへの透析液の供給開始から供給終了までの供給時間を測定する測定部１１０ａを備え、制御装置１１０は、その供給時間に応じて、給液室Ａから排液室Ｂへの透析液の次の供給時における、循環ポンプ８０の駆動電圧Ｖを一時的に上昇させるタイミングを設定してもよい。図３に示すように初期値として、透析液の供給開始Ｓ１から供給終了Ｓ２までの供給時間Ｔ１が例えば１５．５ｓに設定され、透析液の供給開始Ｓ１から循環ポンプ８０の駆動電圧Ｖを上昇させるタイミングＳ３までの時間Ｔ２（電圧立ち上げ時間）が例えば１５ｓ（Ｔ１−Ｔ２＝０．５ｓ）に設定されている。そして、例えば図５に示すように制御装置１１０の測定部１１０ａが透析液の供給時間Ｔ１を測定した時に、供給時間Ｔ１が例えば１５．８ｓであった場合、その供給時間Ｔ１に応じて、次の透析液の供給時の電圧立ち上げ時間Ｔ２を１５．３ｓ（Ｔ１−Ｔ２＝０．５ｓ）に調整する。何らかの原因で透析液の流量が異常に多くなって、排液室Ｂが予定より早く満杯になって、計測された供給時間Ｔ１が例えば１５．０ｓであった場合には、直ちに循環ポンプ８０の駆動電圧ＶがＶｂに上げられる。
【００４１】
こうすることにより、例えば循環回路３３の圧力損失が増大するなど何らかの理由で透析液の流量が減速した場合に、次の透析液の供給時の供給終了Ｓ２時（排液室Ｂの満杯時）に、駆動電圧Ｖが上昇されていないことを防止できる。これによって、排液室Ｂが満杯になる時の前後に排液室Ｂにリリーフ圧Ｐをかけて、所定量の透析液を排液室Ｂに入れることができる。よって、透析器２０に対する透析液の給排量が厳密に制御され、患者の血液から抜かれる除水量も厳格に制御される。なお、かかる例において、透析液の供給の度、或いは所定回数に一回、透析液の供給時間Ｔ１を測定し、それに応じて電圧立ち上げ時間Ｔ２を調整してもよい。
【００４２】
通常の血液透析装置において、給排容器３０と給排容器３１の給液室Ａの透析液の温度（例えば３７℃）が排液室Ｂの透析液温度（例えば３６℃）より高い場合が多い。この温度差による透析液の密度の違いから、給液室Ａと排液室Ｂに同じ圧力を加えて、給液室Ａと排液室Ｂの容積を同じとしても、給液室Ａの透析液の重量が排液室Ｂの透析液より軽くなる。この重量の差をなくすため、給液室Ａに加える圧力（例えば１１０ｋＰａ）を排液室Bに加える圧力（例えば１００ｋＰａ）より大きくしてもよい。
【００４３】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【産業上の利用可能性】
【００４４】
本発明は、軟質性の給排容器を使用し、流量調整バルブを使用せずに低コスト化を図りつつ、透析の除水量を厳格に制御する際に有用である。
【符号の説明】
【００４５】
１  血液透析装置
１０  血液回路
１１  透析液供給装置
２０  透析器
２１  血液ポンプ
３０、３１  給排容器
３２  給液回路
３３  循環回路
３４  排液回路
３５  除水回路
４０  隔壁
５０  ヒータ
５１  給液ポンプ
５２、５３  原液容器
５４  原液ポンプ
５５  第１のリリーフ弁
６０  第１回路
６１  第２回路
７０  フローセンサ
７１  フィルター
８０  循環ポンプ
８１  第２のリリーフ弁
９０  除水ポンプ
１００〜１０７  開閉弁
１１０  制御装置
Ａ  給液室
Ｂ  排液室
【図１】
2014110856.tif 000003
【図２】
2014110856.tif 000004
【図３】
2014110856.tif 000005
【図４】
2014110856.tif 000006
【図５】
2014110856.tif 000007
【図６】
2014110856.tif 000008